(57)【特許請求の範囲】
【請求項１】
一端側に刃部を、他端側に力掛部を備えた一対のカッター部材と、
この一対のカッター部材を交差状にかつ回転自在に組み付ける支軸部と、
前記それぞれのカッター部材の力掛部に設けられ、共用操作棒の連結部を装着可能とするジョイント金具と、を具備し、
前記一対のカッター部材にはガイド機構が設けられ、このガイド機構は、一方のカッター部材に固定ピンを介して揺動可能に固定されたガイド板を備え、このガイド板に他方のカッター部材に向けてガイド穴を延設し、このガイド穴に前記他方のカッター部材に設けられたガイドピンを摺動可能に係止させて構成されていることを特徴とする線材カッター。
【請求項２】
一対のカッター部材の力掛部の長手方向の長さは、不均等に形成されていることを特徴とする請求項１記載の線材カッター。
【発明の詳細な説明】
【技術分野】
【０００１】
この発明は、電柱等の高所に設置された電力線や通信線等の線材の切断に適した線材カッターに関する。
【背景技術】
【０００２】
間接活線作業において、電線等の線材を切断する場合には、油圧カッターや間接カッターとも称する機械式カッターを使用している。油圧カッターは、油圧発生装置からの圧油を油圧ホースを介して切断工具に近接した油圧シリンダーに供給し、そこで機械的な出力に変換して切断工具の切断部を動かすようにしている。
【０００３】
このような油圧カッターは、その出力が大きく、電線の切断が容易である利点があるが、油圧発生装置などの付属品を含めると、大型、且つ、相当な重量となり、高所作業車を用いる場合には、バケット内に相当の設置スペースを確保する必要がある。しかも、油圧ホースを油圧シリンダーまで伸ばす必要があるので、作業する際には邪魔になるという不都合がある。
【０００４】
これに対し、機械式カッターは、例えば、特許文献１に示されるように、操作軸の駆動によって操作軸と連動している送りネジを回転させ、この送りネジに螺合している移動ナットを送りネジに沿って移動させることで切断刃を開閉させ、電線を切断するようにしている。
【０００５】
また、特許文献２に示される電気切断工具にあっては、連結軸の回転により、伝達軸に螺合された摺動部を動かし、これによりホルダーを上下動させることで一対の刃の開閉動作を行い、電線を切断するようにしている。
【先行技術文献】
【特許文献】
【０００６】
【特許文献１】特開平８−１６３７２８号公報
【特許文献２】特開２００４−１２１５８５号公報
【発明の概要】
【発明が解決しようとする課題】
【０００７】
以上のように、特許文献１、２に示す機械式カッターは、油圧カッターに比べて小型で取扱いがしやすいものであるが、一対の刃を開閉させるためには、２軸の回転操作棒が必要であり、手元でハンドルを何回も回転させる必要性がある。このため、必要以上に作業者の体力が消耗し、また、ハンドルを回転させながら電線を切断する必要があるため、切断位置がずれてしまう不都合があった。また、２軸回転操作棒は、それ自体重量があるため、長時間の作業になると作業者の負担は一層大きいものである。
【０００８】
本発明は係る事情に鑑みてなされたものであり、電線等の線材を切断するにあたり、容易に切断することができ、しかも間接活線作業で多用される共用操作棒を用いて作業を施行することが可能な線材カッターを提供することを主たる目的としている。
【課題を解決するための手段】
【０００９】
上記課題を達成するために、本発明に係る線材カッターは、一端側に刃部を、他端側に力掛部を備えた一対のカッター部材と、この一対のカッター部材を交差状にかつ回転自在に組み付ける支軸部と、前記それぞれのカッター部材の力掛部に設けられ、共用操作棒の連結部を装着可能とするジョイント金具と、を具備し、前記一対のカッター部材にはガイド機構が設けられ、このガイド機構は、一方のカッター部材に固定ピンを介して揺動可能に固定されたガイド板を備え、このガイド板に他方のカッター部材に向けてガイド穴を延設し、このガイド穴に前記他方のカッター部材に設けられたガイドピンを摺動可能に係止させて構成されていることを特徴としている。
【００１０】
したがって、線材の切断作業を行う場合には、それぞれのジョイント金具に共用操作棒を連結し、この一対の共用操作棒を作業者が手に持って上下動させる等の操作を行うことで、一対の刃部を開閉動作させ、線材を切断することが可能となる。
【００１１】
また、一対のカッター部材にガイド機構を設け、このガイド機構を、一方のカッター部材に固定ピンを介して揺動可能に固定されたガイド板を備え、このガイド板に他方のカッター部材に向けてガイド穴を延設し、このガイド穴に他方のカッター部材に設けられた係止ピンを摺動可能に係止させて構成するようにしたので、一対のカッター部材の動きが規制され、スムーズに一対の刃部を合わせることができ、電線の切断を確実なものとすることが可能となる。
【００１２】
また、一対のカッター部材の力掛部の長手方向の長さを異ならすることが好ましい。このような構成とすることで、それぞれのカッター部材の力掛部の端部にジョイント金具を設けた場合でも、ジョイント金具同士の干渉を避けることが可能となり、また、ジョイント金具に装着される共用操作棒の操作も容易なものとなる。
【発明の効果】
【００１３】
以上のように、この発明によれば、ジョイント金具に間接活線作業で多用される共用操作棒を用いて線材の切断作業を実施することが可能となる。しかも、２軸操作棒が不要となるので、作業労力を低減させることが可能となり、また切断作業を迅速に行うことが可能となる。
また、ガイド部材を設けたので、一対のカッター部材の刃部の動きを規制することができ、線材の切断を確実に行うことが可能となる。
【００１４】
さらに、一対のカッター部材の力掛部の長手方向の長さを異ならせることで、一対のジョイント金具の干渉を防ぐことができ、また、共用操作棒の操作も容易となる。
【図面の簡単な説明】
【００１５】
【図１】本発明に係る線材カッターの正面図である。
【図２】本発明に係る線材カッターの分解図であり、（ａ）は一方のカッター部材の平面図、（ｂ）は他方のカッター部材の平面図、（ｃ）はガイド部材を構成するガイド板の平面図である。
【図３】本発明の線材カッターに用いられる共用操作棒の正面図である。
【発明を実施するための形態】
【実施例１】
【００１６】
図１において、本発明に係る線材カッター１の正面図が示され、この線材カッター１は、一対のカッター部材２ａ、２ｂが交差状に且つ回転自在に支軸部３で支持されて組付けられている。一方のカッター部材２ａは一端側に刃部４ａが形成され、他端側に前記刃部４ａから連なる力掛部４ｂが形成されている。また、他方のカッター部材２ｂも、同じく一端側に刃部５ａが形成され、他端側に前記刃部５ａから連なる力掛部５ｂが形成されている。前記支軸部３は、それぞれのカッター部材２ａ、２ｂの刃部４ａ，５ａから力掛部４ｂ、５ｂに移行する部分に設けられている。
【００１７】
前記両カッター部材２ａ、２ｂのそれぞれの力掛部４ｂ、５ｂには、両カッター部材２ａ、２ｂが支軸部３を中心に揺動を規制するガイド板１０が設けられ、また、刃部４ａ，５ａから最も離れたそれぞれの端部には、後述する共用操作棒３１の連結部３３を装着可能とするジョイント金具７ａ、７ｂが設けられている。
【００１８】
一方のカッター部材２ａは、図２（ａ）にも示されるように、全体として肉薄の細長い硬質金属部材で構成されている。前記刃部４ａと力掛部４ｂとを分ける中間付近には支軸部３を挿入する挿入穴９がカッター部材２ａの側面に対して略垂直方向に形成され、また、力掛部４ｂの中程には、ガイド板１０を固定するピン取付穴１１が同じくカッター部材２ａの側面に対して略垂直方向に形成されている。
【００１９】
カッター部材２ａの長手方向の中間部は二又に分かれ、その二又に分かれた部分の間に挿入空間１２が形成されている。前記ピン取付穴１１は、この二又に分かれた部分に挿入空間に臨むように形成されている。
【００２０】
また、他方のカッター部材２ｂは、図２（ｂ）にも示されるように、全体として肉薄の細長い硬質金属部材で構成されており、力掛部５ｂが一方のカッター部材２ａの力掛部４ｂよりも短く形成されている。刃部５ａと力掛部５ｂとを分ける中間付近には支軸部３を挿入する挿入穴２２がカッター部材２ｂの面に対して略垂直方向に形成され、また、力掛部５ｂの中程から後端にかけて、ガイド板１０を挿入摺動させる摺動空間２５が形成されている。
【００２１】
この摺動空間２５は、カッター部材２ｂを中程から後端にかけて二股に形成し、その二又に分かれた部分の間に形成されている。二股に分かれた部分には、ガイド板１０を摺動させるガイドピンを取り付けるためのガイドピン取付穴２３が摺動空間２５に臨むように形成され、また、ガイドピン取付穴２３よりも後方には、後述するジョイント金具を取り付けるための連結ピン取付穴２４が摺動空間２５に臨むように形成されている。
【００２２】
ガイド板１０は、図２（ｃ）にも示されるように、細長い板状の部材によって構成され、一端近傍にピン固定穴１３が形成され、また他端側の中ほどから他端近傍にかけて長手方向に沿って延びるガイド穴２６が形成されている。
【００２３】
そして、このガイド板１０は、一端側がカッター部材２ａに形成された挿入空間１２に挿入され、ピン取付穴１１にピン固定穴１３を整合させ、これらピン取付穴１１とピン固定穴１３とに固定ピン１４を挿入し、ガイド板１０を一方のカッター部材２aに揺動可能に固定するようにしている。また、他端側がカッター部材２ｂに形成された摺動空間２５に挿入され、ガイドピン取付穴２３にガイド穴２６を整合させ、ガイドピン取付穴２３に挿着されるガイドピン２７をガイド穴２６に挿通し、ガイド板１０をガイドピン２７によって動きを規制しつつ摺動空間２５内を摺動させるようにしている。
【００２４】
したがって、一方のカッター部材２ａに固定ピン１４を介してガイド板１０を揺動可能に固定し、このガイド板１０に他方のカッター部材２ｂに向けてガイド穴２６を延設し、このガイド穴２６に他方のカッター部材２ｂに設けられるガイドピン２７を摺動可能に係止させることで一対のカッター部材２ａ，２ｂの動きを規制するガイド機構が構成されている。このガイド機構により、両カッター部材２ａ、２ｂが支軸部３を中心に揺動すると、ガイドピン２７がガイド穴２６内を摺動し、両カッター部材２ａ、２ｂの動きが刃部４ａ，５ａをスムーズに開閉させるように規制される。
【００２５】
ジョイント金具７ａ，７ｂは、下方に開口する円筒カップ状の外形を有し、その側面の対向する部位（１８０度位相がずれた位置）に、略Ｔ字型を有し、両端に係止部１６を備えた案内溝１７が形成されている。
【００２６】
それぞれのジョイント金具７ａ、７ｂは、後述する共用操作棒３１の先端に形成された連結部３３（図３に示す）と連結されるもので、カッター部材２ａの力掛部４ｂには、ジョイント金具７ａの頂部から軸方向に突設された突片１９が連結ピン２０を介して回動可能に連結されている。
【００２７】
また、ジョイント金具７ｂと力掛部５ｂとは、ジョイント金具７ｂの頂面から軸方向に突設した突片１９を摺動空間２５に挿入し、連結ピン取付穴２４に挿入される連結ピン２１によって回動可能に連結されている。
【００２８】
なお、各ジョイント金具に取り付けられる共用操作棒３１は、それ自体公知のもので、図３に示されるように、細長い棒状体３２の先端部に先端工具等を装着させる連結部３３を備え、また手元側の基端部にジョイント金具３４を備えている。前記連結部３３は、略円柱状の外形を有し、その先端面に軸線方向に進退可能であり、内蔵されたバネによって突出方向に付勢される可動突部３５を備え、その側面の対向する位置（１８０度位相が異なる位置）には、一対の係止ピン３６，３６が突設されている。また、棒状体３２の中程には、雨切り３７が設けられ、その下方には安全限界ツバ３８が設けられ、安全限界ツバ３８より下方には、作業者により握持可能なグリップ部３９が設けられている。
【００２９】
以上の構成において、線材カッター１を使用するには、２本の共用操作棒３１を用意し、それぞれの共用操作棒３１の連結部３３を各ジョイント金具７ａ，７ｂに連結する。これにより、電線から離れた箇所から電線を切断することが可能となる。即ち、各共用操作棒３１をカッター部材２ａ，２ｂの延長方向に対して略垂直方向とし、一対の共用操作棒３１を軸方向に動かしてジョイント金具７ａ，７ｂを互いに離反させるように操作して刃部４ａ，４ｂ間を開き、その状態で刃部４ａ，４ｂ間に電線５０を挿入する。そして、各共用操作棒３１を軸方向に動かしてジョイント金具７ａ，７ｂを互いに近接するように操作させる。これにより、支軸部３を中心にカッター部材２ａ，２ｂの刃部４ａ，４ｂが閉じ、電線５０が切断される。その後、次の電線を切断するには、以上の操作を繰り返し行えばよい。
【００３０】
したがって、上述の線材カッターによれば、ジョイント金具７ａ，７ｂに間接活線作業で多用される共用操作棒３１を装着すれば、線材の切断作業を行うことが可能となるので、従来用いていた２軸操作棒が不要となり、作業労力を低減できると共に切断作業を迅速に行うことが可能となる。
【００３１】
また、ガイド部材６が設けられているので、一対のカッター部材２ａ，２ｂの刃部４ａ，５ａの動きを規制することができ、線材の切断を確実に行うことが可能となる。
【００３２】
さらに、一対のカッター部材２ａ，２ｂの力掛部４ｂ，５ｂの長手方向の長さを異ならせているので、一対のジョイント金具７ａ，７ｂの干渉を防ぐことができ、また、共用操作棒３１の操作も容易となる。
【符号の説明】
【００３３】
１      線材カッター
２ａ    一方のカッター部材
２ｂ      他方のカッター部材
３      支軸部
４ａ    刃部
４ｂ    力掛部
５ａ    刃部
５ｂ    力掛部
６      ガイド部材
７ａ，７ｂ  ジョイント金具
１０    ガイド板
１２    挿入空間
１４    固定ピン
１６    係止部
１７    案内溝
２４    挿入空間
２６    ガイド穴
２７    ガイドピン
３１    共用操作棒
３３    連結部
３６    係止ピン
【要約】
【課題】電線等の線材を切断するにあたり、間接活線作業で多用されている共用操作棒を用いて容易に切断作業を行うことが可能な線材カッターを提供する。
【解決手段】一端側に刃部４ａ，５ａを、他端側に力掛部４ｂ，５ｂを備えた一対のカッター部材２ａ，２ｂを、交差状に支軸部３を介して回転自在に組み付ける。一対の力掛部４ｂ，５ｂに共用操作棒３１の連結部を装着可能とするジョイント金具７ａ，７ｂを設け、このジョイント金具７ａ，７ｂに共用操作棒３１，３１をそれぞれ連結し、この両共用操作棒３１，３１を操作して、一対のカッター部材２ａ，２ｂの刃部４ａ，５ａを開閉させる。
【選択図】      図１【図１】
0005519036.tif 000002
【図２】
0005519036.tif 000003
【図３】
0005519036.tif 000004